(57)【要約】      （修正有）【課題】収容部内のディスク情報および付加情報が不揮発性メモリに記憶されるディスクチェンジャ装置において、ディスクの入れ替えられた収容部のディスク情報および付加情報を自動的に更新する。【解決手段】各収容部３内のディスク情報が不揮発性メモリに記憶されるディスクチェンジャ装置において、収容部３にディスクが挿入されたとき、先ず、前記のディスクをローディングしてディスク情報を読み取る。読み取られたディスク情報と不揮発性メモリ４に記憶されている他の収容部内のディスク情報とを比較し、一致する場合は前記他の収容部内のディスクのディスク情報および付加情報を前記収容部に対応させて該不揮発性メモリに記憶させ、さらに収容部３内にある他のディスクについても同様の動作を行い、不揮発性メモリ４の記憶内容の更新を行う。【選択図】図２
2005259277.tif 000002
【特許請求の範囲】
【請求項１】
ディスクを収容するストッカー内の第１番目から第ｎ番目の収容部のうち、任意の収容部内のディスクをローディングして再生し、各収容部に収容されたディスクのディスク情報を各収容部に対応して記憶手段に記憶するディスク再生装置において、
ローディングされた１の収容部内のディスクのディスク情報を読み取る情報読み取り手段と、
前記情報読み取り手段で読み取られたディスク情報と、対応する付加情報を記憶する記憶手段と、
前記情報読み取り手段で読み取られたディスク情報と前記記憶手段に記憶された複数のディスク情報とを比較し、一致するディスク情報があるとき、記憶手段に記憶された対応する付加情報を１の収容部に対応する付加情報として前記記憶手段に記憶すると共に、前記情報読み取り手段で読み取られたディスク情報が他の収容部のディスク情報と一致するとき、他の収容部に収容されたディスクのディスク情報を読み取って、読み取られたディスク情報と前記記憶手段に記憶された複数のディスク情報とを比較し、一致するディスク情報があるとき、記憶手段に記憶された対応する付加情報を前記他の収容部に対応する付加情報として前記記憶手段に記憶する付加情報制御手段と、
を備えることを特徴とするディスク再生装置。
【請求項２】
ディスクを収容するストッカー内の第１番目から第ｎ番目の収容部のうち、任意の収容部内のディスクをローディングして情報読み取り手段で再生し、各収容部に収容されたディスクのディスク情報を各収容部に対応して記憶手段に記憶するディスクの付加情報制御方法であって、
ローディングされた１の収容部内のディスクのディスク情報を読み取る情報読み取り手段と、
前記情報読み取り手段で読み取られたディスク情報と、対応する付加情報を記憶する記憶手段と、を備え、
前記情報読み取り手段で読み取られたディスク情報と前記記憶手段に記憶された複数のディスク情報とを比較し、一致するディスク情報があるとき、記憶手段に記憶された対応する付加情報を１の収容部に対応する付加情報として前記記憶手段に記憶すると共に、前記情報読み取り手段で読み取られたディスク情報が他の収容部のディスク情報と一致するとき、他の収容部に収容されたディスクのディスク情報を読み取って、読み取られたディスク情報と前記記憶手段に記憶された複数のディスク情報とを比較し、一致するディスク情報があるとき、記憶手段に記憶された対応する付加情報を前記他の収容部に対応する付加情報として前記記憶手段に記憶する、
ことを特徴とするディスクの付加情報制御方法。
【発明の詳細な説明】
【技術分野】
【０００１】
この発明はディスクチェンジャ付きディスク再生装置に関する。
【背景技術】
【０００２】
従来のディスクチェンジャ付きディスク再生装置の例を図２および図３を参照して説明する。図２は従来のディスクチェンジャ付きディスク再生装置の構成を示すプロック図である。図２に示すコントローラ１はマイクロコンピュータ、ＲＯＭ、ＲＡＭ、入出力インターフェース等で構成されており、図示していない入力キー等の信号が入力され、ストッカーコントロール装置２およびＤＳＰ／サーボ回路９を制御し、また、不揮発性メモリ４にデータを書き込みまたは書き替える。コントローラ１はさらに図示していない表示装置の表示を制御する。
【０００３】
ストッカー３は第１番目から第ｎ番目のディスク収容部を有しており、ストッカー３の任意の収容部にディスクを収容することができる。ストッカー３および図示していないローデイング装置はストッカーコントロール装置２により制御され、ストッカー３の任意の収容部に収容されたディスク６がディスクモータ５の回転軸に固着されたターンテーブル上にローディングされ、また、ターンテーブル上のディスクが元の収容部にアンローディングされる。
【０００４】
光ピックアップ７はディスク６に照射したレーザ光線の反射光で読み取った各分割受光素子のＲＦ信号をＲＦＩＣ８に出力する。ＲＦＩＣ８は光ピックアップ７の分割受光素子の出力信号を増幅し、和信号および差信号をＤＳＰ／サーボ回路９に出力する。
【０００５】
ＤＳＰ／サーボ回路９はＲＦＩＣ８から入力された信号よりディスクモータ５、光ピックアップ７のトラッキング・フォーカシングおよびスレッドモータ１１の制御信号をドライバー１０に出力し、ドライバー１０は入力された各制御信号を増幅した信号によりディスクモータ５、光ピックアップ７およびスレッドモータ１１を制御する。
【０００６】
スレッドモータ１１はこのように制御されながら、光ピックアップ７をディスク半径方向に送る。ＤＳＰ／サーボ回路９はさらに入力されたＲＦ信号を処理し、音声信号を図示していないオーディオ回路に出力し、また、デジタルデータ信号をコントローラ１に出力する。
【０００７】
不揮発性メモリ４にはストッカー３の各収容部に収容されたディスク情報（ＴＯＣ情報）と付加情報（タイトルやジャケットの情報）を各収容部に対応して記憶しているが、任意の収容部にディスクが挿入されたときのディスク情報および付加情報の不揮発性メモリ４への書き込み動作について、図３のフローチャートにより説明する。
【０００８】
先ず、いずれかの収容部にディスクが挿入されるか入れ替えられると、ステップＳ１において最後に挿入されたディスクがローディングされてディスク情報が読み取られ、読み取られたディスクは元の収容部にアンローディングされる。次に、ステップＳ２において、このように読み取られたディスク情報が不揮発性メモリ４に記憶されているその収容部に対応するディスク情報と異なるか否かが判断され、異なっていない場合はこのルーチンを終了し、異なっている場合はステップＳ３に移行する。
【０００９】
ステップＳ３ではステップＳ１で読み取られたディスク情報が不揮発性メモリ４に記憶されている他の収容部に対応するディスク情報のいずれかと一致するか否かが判断され、一致する場合はステップＳ６に移行し、一致しない場合はステップＳ４に移行する。
【００１０】
ステップＳ４でコントローラ１は表示装置に挿入されたディスクのディスク情報を入力するか否かを聞く旨を表示させ、それに対するキー入力を待ち、キー入力がディスク情報を入力するという内容であればステップＳ５に移行し、キー入力がディスク情報を入力しないという内容であればこのルーチンを終了する。
【００１１】
ステップＳ５ではステップＳ１で読み取られたディスク情報に必要であれば、ジャケットに記載されている情報等をキー入力により加えて読み取られたディスクの収容された収容部に対応させて不揮発性メモリ４に記憶させる付加情報を準備してステップＳ６に移行する。
【００１２】
ステップＳ６ではステップＳ３で同一が確認されたディスク情報に対応する付加情報、またはステップＳ５で準備された付加情報をステップＳ１で読み取られたディスクの収容部に対応させて不揮発性メモリ４に記憶させてこのルーチンを終了する。このようにして不揮発性メモリ４に記憶された各収容部に対応するディスクのディスク情報および付加情報は再生時の検索や表示に用いられるが、再生時等の動作については特に説明しない。
【００１３】
上記した従来のディスク再生装置ではストッカーの収容部に収容された夫々のディスクを入れ替えたとき、一方の収容部に入れられたディスクのディスク情報は新しく書き替えられるが他方の収容部に入れられたディスクのディスク情報は書き替えられることがなく、ディスクの入れ替えに対してディスク情報および付加情報の更新が不十分であった。
【００１４】
このような収容部に対応する付加情報の更新は１枚のディスクを再生中に他のディスクを交換可能な、若しくは１度に複数のディスクを交換可能なチェンジャー機能付ディスク再生装置で特に必要性が生じる。
【発明の開示】
【発明が解決しようとする課題】
【００１５】
この発明は上記した点に鑑みてなされたものであって、その目的とするところは、ストッカー内の収容部内のディスク情報がメモリに記憶されるディスク再生装置において、収容部に収容された夫々のディスクを入れ替えたとき、ディスクの入れ替えられた収容部のディスクのディスク情報および付加情報が自動的に書き替えられるディスク再生装置を提供することにある。
【課題を解決するための手段】
【００１６】
この発明のディスク再生装置は、ディスクを収容するストッカー内の第１番目から第ｎ番目の収容部のうち、任意の収容部内のディスクをローディングして再生し、各収容部に収容されたディスクのディスク情報を各収容部に対応して記憶手段に記憶するディスク再生装置において、ローディングされた１の収容部内のディスクのディスク情報を読み取る情報読み取り手段と、前記情報読み取り手段で読み取られたディスク情報と、対応する付加情報を記憶する記憶手段と、前記情報読み取り手段で読み取られたディスク情報と前記記憶手段に記憶された複数のディスク情報とを比較し、一致するディスク情報があるとき、記憶手段に記憶された対応する付加情報を１の収容部に対応する付加情報として前記記憶手段に記憶すると共に、前記情報読み取り手段で読み取られたディスク情報が他の収容部のディスク情報と一致するとき、他の収容部に収容されたディスクのディスク情報を読み取って、読み取られたディスク情報と前記記憶手段に記憶された複数のディスク情報とを比較し、一致するディスク情報があるとき、記憶手段に記憶された対応する付加情報を前記他の収容部に対応する付加情報として前記記憶手段に記憶する付加情報制御手段と、を備えるものである。
【００１７】
また、この発明のディスクの付加情報制御方法は、ディスクを収容するストッカー内の第１番目から第ｎ番目の収容部のうち、任意の収容部内のディスクをローディングして情報読み取り手段で再生し、各収容部に収容されたディスクのディスク情報を各収容部に対応して記憶手段に記憶するディスクの付加情報制御方法であって、ローディングされた１の収容部内のディスクのディスク情報を読み取る情報読み取り手段と、前記情報読み取り手段で読み取られたディスク情報と、対応する付加情報を記憶する記憶手段と、を備え、前記情報読み取り手段で読み取られたディスク情報と前記記憶手段に記憶された複数のディスク情報とを比較し、一致するディスク情報があるとき、記憶手段に記憶された対応する付加情報を１の収容部に対応する付加情報として前記記憶手段に記憶すると共に、前記情報読み取り手段で読み取られたディスク情報が他の収容部のディスク情報と一致するとき、他の収容部に収容されたディスクのディスク情報を読み取って、読み取られたディスク情報と前記記憶手段に記憶された複数のディスク情報とを比較し、一致するディスク情報があるとき、記憶手段に記憶された対応する付加情報を前記他の収容部に対応する付加情報として前記記憶手段に記憶するものである。
【発明の効果】
【００１８】
この発明のディスクチェンジャ付きディスク再生装置によれば、ストッカーに入っていたディスクを入れ替えたときに、ディスク情報に対応する付加情報をディスクの収容部に対応するように自動的に入れ替えることができる。
【００１９】
そして、構成は従来のものと同じであり、制御プログラムを変更することでこの発明を実施できるので、実施するためのコストが安い。
【発明を実施するための最良の形態】
【００２０】
以下この発明を実施するための最良の形態を実施例に即して説明する。
【実施例１】
【００２１】
実施例１のディスクチェンジャ付きディスク再生装置の構成は図２で説明したものと同様であり、構成についての説明を省略する。ただし、コントローラ１は付加情報制御手段として機能する点で、従来技術と異なる。図１はこの発明の実施例１であるディスクチェンジャ付きディスク再生装置のストッカー内にディスクを挿入したときまたはディスクを入れ替えたときの動作を示すフローチャートである。
【００２２】
先ず、いずれかの収容部にディスクが挿入されると、またはいずれかの収容部に収容されたディスクの再生が指示されると、ステップＳ１１においてそのディスクがローディングされてディスク情報が読み取られ、読み取られたディスクは元の収容部にアンローディングされる。
【００２３】
次に、ステップＳ１２において、このように読み取られたディスク情報が不揮発性メモリ４に記憶されているその収容部に対応するディスク情報と異なるか否かが判断され、異なっていない場合はこのルーチンを終了し、異なっている場合はステップＳ１３に移行する。
【００２４】
ステップＳ１３ではステップＳ１１で読み取られたディスク情報が不揮発性メモリ４に記憶されている他の収容部に対応するディスク情報のいずれかと一致するか否かが判断され、一致する場合はステップＳ１６に移行し、一致しない場合はステップＳ１４に移行する。
【００２５】
ステップＳ１４で、コントローラ１は表示装置に挿入されたディスクのディスク情報を入力するか否かを聞く旨を表示させ、それに対するキー入力を待ち、キー入力がディスク情報を入力するという内容であればステップＳ１５に移行し、キー入力がディスク情報を入力しないという内容であればこのルーチンを終了する。
【００２６】
ステップＳ１５ではステップＳ１１で読み取られたディスク情報に必要あれば、ジャケットに記載されている情報等をキー入力により加え、読み取られたディスクの収容された収容部に対応して不揮発性メモリ４に記憶させる付加情報を準備してステップＳ１７に移行する。
【００２７】
ステップＳ１７ではステップＳ１５で準備したデータ（付加情報）をステップＳ１１でローディングされたディスクの収容部に対応させて不揮発性メモリ４に記憶させてこのルーチンを終了する。
【００２８】
ステップＳ１６ではステップＳ１３で同一が確認されたディスク情報に対応する付加情報をステップＳ１１でローディングされたディスクの収容部に対応させて不揮発性メモリ４に記憶させてステップＳ１８に移行する。
【００２９】
ステップＳ１８ではステップＳ１３で同一が確認されたディスク情報に対応する収容部のディスクをローディングしてステップＳ１１以下が繰り返される。尚、各収容部に対応するディスク情報および付加情報がメモリで書き換えられるとき、元あったディスク情報、付加情報はメモリの空領域に可能な限り蓄積してもよい。そうすれば、過去に入力された付加情報を有効に利用することができる。
【００３０】
このように、実施例１のディスク再生装置ではストッカーに入っていたディスクを入れ替えたときに、ディスク情報をディスクの収容部に対応するように自動的に入れ替えることができる。そして、１のディスクを再生中に他のディスクが交換されても、また、一度に２枚を越える枚数を入れ替えても、各収容部に入ったディスクのディスク情報に対応させて付加情報を入れ替えることができる。
【００３１】
そして、構成は従来のものと同じであり、制御プログラムを変更することでこの発明を実施できるので、実施するためのコストが安い。
【図面の簡単な説明】
【００３２】
【図１】この発明のディスクチェンジャ付きディスク再生装置の作用を示すフローチャートである。
【図２】従来のディスクチェンジャ付きディスク再生装置の構成を示すプロック図である。
【図３】同ディスクチェンジャ付きディスク再生装置の作用を示すフローチャートである。
【符号の説明】
【００３３】
１  コントローラ
２  ストッカーコントロール装置
３  ストッカー
４  不揮発性メモリ
５  ディスクモータ
６  ディスク
７  光ピックアップ
８  ＲＦＩＣ
９  ＤＳＰ／サーボ回路
１０  ドライバー
１１  スレッドモータ
【図１】
2005259277.tif 000003
【図２】
2005259277.tif 000004
【図３】
2005259277.tif 000005